(57)【要約】      （修正有）【課題】有線ネットワークの切断によりオフモードに遷移した場合でも使い勝手が損なわれにくい機器を提供する。【解決手段】複数の電源状態を有するネットワーク機器１０であって、ケーブルを介して接続された通信先装置と通信する通信処理部１４と、通信先装置とケーブルで接続された場合に送信される接続確認信号を受信するリンクパルス検知回路１３と、リンクパルス検知回路が接続確認信号を受信するかどうかに応じて電源状態を決定する制御部１２と、制御部が決定した電源状態に応じて、通信処理部又は制御部への電力の供給を制御する電源回路１１と、を有する。【選択図】図１
2017091505.tif 000002
【特許請求の範囲】
【請求項１】
複数の電源状態を有する機器であって、
ケーブルを介して接続された通信先装置と通信する通信処理部と、
前記通信先装置と前記ケーブルで接続された場合に送信される接続確認信号を受信する確認信号受信手段と、
前記確認信号受信手段が前記接続確認信号を受信するかどうかに応じて前記電源状態を決定する制御部と、
前記制御部が決定した電源状態に応じて、前記通信処理部又は前記制御部への電力の供給を制御する電源回路と、を有する機器。
【請求項２】
前記通信処理部と前記制御部に電力が供給される第１の電源状態で、前記確認信号受信手段が前記接続確認信号を受信しない場合、
前記制御部は、前記通信処理部及び前記制御部に電力が供給されない第２の電源状態に遷移すると決定し、
前記第２の電源状態で、前記確認信号受信手段が前記接続確認信号を受信した場合、
前記制御部は、前記第１の電源状態に遷移すると決定する請求項１に記載の機器。
【請求項３】
前記ケーブルの受信信号線は前記ケーブルのインタフェースと前記通信処理部の間で前記確認信号受信手段に分岐されており、
分岐された受信信号線を前記確認信号受信手段に接続する状態と切断する状態を切り替えるスイッチを有し、
前記第１の電源状態で前記スイッチは切断状態であり、前記第２の電源状態で前記スイッチは接続状態である請求項２に記載の機器。
【請求項４】
前記第２の電源状態に遷移させるか否かの設定情報を保持する設定情報保持部を有し、
前記制御部は、前記確認信号受信手段が前記接続確認信号を受信しない場合、前記設定情報保持部から取得した前記設定情報に基づいて、前記第２の電源状態に遷移するかどうかを決定する請求項２又は３に記載の機器。
【請求項５】
前記確認信号受信手段は単位時間に所定値以上の前記接続確認信号を受信した場合、前記接続確認信号を受信したと判定する請求項１〜４のいずれか１項に記載の機器。
【請求項６】
前記通信処理部及び前記制御部に電力が供給されない第２の電源状態に遷移した際に前記第２の電源状態である旨のフラグが記憶される不揮発性メモリを有し、
前記通信処理部、前記制御部及び前記確認信号受信手段に電力が供給されない第３の電源状態に遷移する際、前記制御部は前記フラグを削除し、
前記制御部は、前記確認信号受信手段が前記接続確認信号を受信しない場合に、前記不揮発性メモリに前記フラグが記憶されている場合は、前記第２の電源状態に遷移すると決定し、前記不揮発性メモリに前記フラグが記憶されていない場合は、前記第３の電源状態に遷移すると決定する請求項１〜５のいずれか１項に記載の機器。
【請求項７】
前記ケーブルの受信信号線は前記ケーブルのインタフェースと前記通信処理部の間で前記確認信号受信手段に分岐されており、
前記ケーブルの送信信号線は前記ケーブルのインタフェースと前記通信処理部の間で前記確認信号受信手段に分岐されている請求項１〜６のいずれか１項に記載の機器。
【請求項８】
前記通信処理部と前記制御部に電力が供給される第１の電源状態で、前記確認信号受信手段が前記接続確認信号を受信しない場合、
前記制御部は、前記通信処理部へ電力が供給され前記制御部に電力が供給されない第４の電源状態に遷移すると決定し、
前記第４の電源状態で、前記通信処理部が前記ケーブルを介して前記機器を起動させる起動要求信号を受信した場合、前記制御部は前記制御部に電力が供給される電源状態に遷移すると決定する請求項１に記載の機器。
【請求項９】
前記第４の電源状態で、前記確認信号受信手段が前記接続確認信号を受信する場合、前記制御部は前記第４の電源状態のまま維持し、
前記第４の電源状態で、前記確認信号受信手段が前記接続確認信号を受信しない場合、前記通信処理部、前記制御部及び前記確認信号受信手段に電力が供給されない第３の電源状態に遷移すると決定する請求項８に記載の機器。
【請求項１０】
前記第４の電源状態で、前記確認信号受信手段が前記接続確認信号を受信する場合、前記制御部は前記第４の電源状態のまま維持し、
前記第４の電源状態で、前記確認信号受信手段が前記接続確認信号を受信しない場合、前記通信処理部及び前記制御部に電力が供給されない第５の電源状態に遷移すると決定し、
前記第５の電源状態で、前記確認信号受信手段が前記接続確認信号を受信した場合、前記第４の電源状態に遷移すると決定する請求項８に記載の機器。
【請求項１１】
前記第１の電源状態で、前記確認信号受信手段が前記接続確認信号を受信しない場合、
前記制御部は、前記通信処理部及び前記制御部に電力が供給されない第２の電源状態に遷移すると決定し、
前記第２の電源状態で、前記確認信号受信手段が前記接続確認信号を受信した場合、前記制御部は、前記第１の電源状態に遷移すると決定する請求項８に記載の機器。
【請求項１２】
前記第４の電源状態で、前記確認信号受信手段が前記接続確認信号を受信する場合、前記制御部は前記第４の電源状態のまま維持し、
前記第４の電源状態で、前記確認信号受信手段が前記接続確認信号を受信しない場合、前記通信処理部及び前記制御部に電力が供給されない第５の電源状態に遷移すると決定し、
前記第５の電源状態で、前記確認信号受信手段が前記接続確認信号を受信した場合、前記第４の電源状態に遷移すると決定する請求項１１に記載の機器。
【請求項１３】
前記通信処理部と前記制御部に電力が供給される第１の電源状態で、前記確認信号受信手段が前記接続確認信号を受信しない場合、
前記制御部は、前記通信処理部及び前記制御部に電力が供給されない第２の電源状態に遷移すると決定し、
前記第２の電源状態で、前記確認信号受信手段が前記接続確認信号を受信しない場合、前記制御部は、前記第２の電源状態を維持し、
前記第２の電源状態で、前記確認信号受信手段が前記接続確認信号を受信した場合、前記制御部は、前記通信処理部へ電力が供給され前記制御部に電力が供給されない第４の電源状態に遷移すると決定し、
前記第４の電源状態で、前記確認信号受信手段が前記接続確認信号を受信する場合、前記制御部は前記第４の電源状態のまま維持し、
前記第４の電源状態で、前記確認信号受信手段が前記接続確認信号を受信しない場合、前記通信処理部及び前記制御部に電力が供給されない第５の電源状態に遷移すると決定し、
前記第５の電源状態で、前記確認信号受信手段が前記接続確認信号を受信した場合、前記第４の電源状態に遷移すると決定する請求項１に記載の機器。
【請求項１４】
さらに、前記制御部に電力が供給されない状態で前記電源状態を決定する第２の制御部を有し、
前記通信処理部と前記制御部に電力が供給される第１の電源状態で、前記確認信号受信手段が前記接続確認信号を受信しない場合、
前記制御部は、前記通信処理部、前記第２の制御部及び前記確認信号受信手段に電力が供給され、前記制御部に電力が供給されない第６の電源状態に遷移すると決定し、
前記第６の電源状態で、前記確認信号受信手段が前記接続確認信号を受信した場合、前記第２の制御部は、前記第１の電源状態に遷移すると決定し、
前記第６の電源状態で、前記通信処理部が前記機器を起動させる起動要求信号を受信した場合、前記第２の制御部は、前記制御部に電力が供給される電源状態に遷移すると決定し、
前記通信処理部へ電力が供給され前記制御部に電力が供給されない第４の電源状態で、前記確認信号受信手段が前記接続確認信号を受信しない場合、前記通信処理部及び前記制御部に電力が供給されない第５の電源状態に遷移すると決定し、
前記第５の電源状態で、前記確認信号受信手段が前記接続確認信号を受信した場合、前記第４の電源状態に遷移すると決定する請求項１に記載の機器。
【請求項１５】
複数の電源状態を有する機器が行う動作モード制御方法であって、
通信処理部が、ケーブルを介して接続された通信先装置と通信するステップと、
確認信号受信手段が、前記通信先装置と前記ケーブルで接続された場合に送信される接続確認信号を受信するステップと、
制御部が、前記確認信号受信手段が前記接続確認信号を受信するかどうかに応じて前記電源状態を決定するステップと、
電源回路が、前記制御部が決定した電源状態に応じて、前記通信処理部又は前記制御部への電力の供給を制御するステップと、を有する動作モード制御方法。
【請求項１６】
複数の電源状態を有する情報処理装置を、
ケーブルを介して接続された通信先装置と通信する通信処理部と、
前記通信先装置と前記ケーブルで接続された場合に送信される接続確認信号を受信する確認信号受信手段と、
前記確認信号受信手段が前記接続確認信号を受信するかどうかに応じて前記電源状態を決定する制御部と、
前記制御部が決定した電源状態に応じて、前記通信処理部又は前記制御部への電力の供給を制御する電源回路、として機能させるためのプログラム。
【発明の詳細な説明】
【技術分野】
【０００１】
本発明は、機器、動作モード制御方法及びプログラムに関する。
【背景技術】
【０００２】
ネットワークに接続される機器の種類や数が増大しており、今後も増えることはあっても減ることは少ないと見られている。ネットワークに接続される機器はユーザが操作しなくても電力を消費するため、消費電力の低減が求められている。このような要請に対し、ＥＵでは省エネを促進するために環境に配慮した設計（エコデザイン）を行うことを義務付けており、この規制をＥｒｐ指令という。
【０００３】
Ｅｒｐ指令Ｌｏｔ６（２０１３年改訂）では２０１７年以降に製造される機器について、有線ネットワーク断、かつ、すべての無線ネットワークポートが停止した場合、自動でオフモード（シャットダウンモードともいう）へ遷移することを制定している。オフモードは、商用電源との物理的な接続はある状態で装置全体の電源を落とした動作モードである。つまり、有線でも無線でも通信できない場合は、機器がオフモードに遷移して消費電力を低減する。
【０００４】
同指令では、ネットワークポートを有し、かつ、リモート再起動機能を持つ機器が適用範囲内になった。したがって、これまで対象外であった複合機又は単機能プリンタも同規制の対象となった。機器がオフモードに遷移するだけだと、機器がオフモードになっている状態でユーザが使用したい場合に、ユーザが機器を再起動させる必要がある（一般に主電源スイッチを押下する）。
【０００５】
また、同指令によれば、意図せずＬＡＮケーブルが抜けてしまっても機器は自動でオフモードへ遷移することが要請される。意図せずＬＡＮケーブルが抜けた場合のオフモードへの遷移はユーザの意図に沿った状態遷移ではない。このため、ユーザがＬＡＮケーブルを接続しても機器がオフモードであることに気付かずに（省エネモード以上の動作モードにあると思ってしまい）ユーザが機器で印刷しようとしたりする可能性がある。この場合、ユーザは主電源スイッチを押下するが、操作可能になるまでの時間が長くなるため、使い勝手が損なわれるおそれがある。
【０００６】
そこで、オフモードに遷移した複合機をユーザの印刷要求に応じてスタンバイモードに遷移させる技術が考案されている（例えば、特許文献１参照。）。
【発明の概要】
【発明が解決しようとする課題】
【０００７】
しかしながら、特許文献１に開示された技術では、ホストコンピュータが電話回線を使用して状態遷移制御を行うため機器に電話回線がつながっていることが前提となってしまうため、電話回線に対応していない機器や電話回線がない環境では採用できないという問題がある。
【０００８】
本発明は、上記課題に鑑み、有線ネットワークの切断によりオフモードに遷移した場合でも使い勝手が損なわれにくい機器を提供することを目的とする。
【課題を解決するための手段】
【０００９】
本発明は、複数の電源状態を有する機器であって、ケーブルを介して接続された通信先装置との通信する通信処理部と、前記通信先装置と前記ケーブルで接続された場合に送信される接続確認信号を受信する確認信号受信手段と、前記確認信号受信手段が前記接続確認信号を受信するかどうかに応じて前記電源状態を決定する制御部と、前記制御部が決定した電源状態に応じて、前記通信処理部又は前記制御部への電力の供給を制御する電源回路と、を有する。
【発明の効果】
【００１０】
有線ネットワークの切断によりオフモードに遷移した場合でも使い勝手が損なわれにくい機器を提供することができる。
【図面の簡単な説明】
【００１１】
【図１】ネットワーク機器の概略構成図の一例である。
【図２】状態遷移図の比較例の一例である。
【図３】状態遷移図の一例である。
【図４】スタンバイモード、及び低電力モードの電源状態を説明する図の一例である。
【図５】自動遷移オフモードの電源状態を説明する図の一例である。
【図６】オフモードの電源状態を説明する図の一例である。
【図７】ネットワーク機器の状態遷移に関する機能を示す機能ブロック図の一例である。
【図８】ネットワーク機器の電源状態が遷移する手順を説明するフローチャート図の一例である。
【図９】ネットワーク機器の概略構成図の一例である（実施例２）。
【図１０】ネットワーク機器の状態遷移に関する機能を示す機能ブロック図の一例である（実施例２）。
【図１１】ネットワーク機器の電源状態が遷移する手順を説明するフローチャート図の一例である（実施例２）。
【図１２】ネットワーク機器の概略構成図の一例である（実施例３）。
【図１３】ネットワーク機器の状態遷移に関する機能を示す機能ブロック図の一例である（実施例３）。
【図１４】ネットワーク機器の電源状態が遷移する手順を説明するフローチャート図の一例である（実施例３）。
【図１５】ネットワーク機器の状態遷移に関する機能を示す機能ブロック図の一例である（実施例４）。
【図１６】ネットワーク機器の電源状態が遷移する手順を説明するフローチャート図の一例である（実施例４）。
【図１７】ネットワーク機器の状態遷移に関する機能を示す機能ブロック図の一例である（実施例５）。
【図１８Ａ】ネットワーク機器の電源状態が遷移する手順を説明するフローチャート図の一例である（実施例５）。
【図１８Ｂ】ネットワーク機器の電源状態が遷移する手順を説明するフローチャート図の一例である（実施例５）。
【図１９】ネットワーク機器の概略構成図の一例である（実施例６）。
【図２０】ネットワーク機器の概略構成図の一例である（実施例７）。
【図２１】ネットワーク機器の状態遷移に関する機能を示す機能ブロック図の一例である（実施例７）。
【図２２】ネットワーク機器の状態遷移図の一例である（実施例７）。
【図２３】ＷＯＬ対応オフモードのネットワーク機器の電源状態を説明する図の一例である（実施例７）。
【図２４】ネットワーク機器の電源状態が遷移する手順を説明するフローチャート図の一例である（実施例７）。
【図２５】ネットワーク機器の電源状態が遷移する手順を説明するフローチャート図の一例である（実施例７）。
【図２６】ネットワーク機器の状態遷移図の一例である（実施例８）。
【図２７】リンクパルス検知対応オフモードのネットワーク機器の電源状態を説明する図の一例である（実施例８）。
【図２８】ネットワーク機器の電源状態が遷移する手順を説明するフローチャート図の一例である（実施例８）。
【図２９】ネットワーク機器の電源状態が遷移する手順を説明するフローチャート図の一例である（実施例８）。
【図３０】ネットワーク機器の状態遷移図の一例である（実施例９）。
【図３１】自動遷移オフモードのネットワーク機器の電源状態を説明する図の一例である（実施例９）。
【図３２】ネットワーク機器の電源状態が遷移する手順を説明するフローチャート図の一例である（実施例９）。
【図３３】ネットワーク機器の状態遷移図の一例である（実施例１０）。
【図３４】ネットワーク機器の電源状態が遷移する手順を説明するフローチャート図の一例である（実施例１０）。
【図３５】ネットワーク機器の状態遷移図の一例である（実施例１１）。
【図３６】ネットワーク機器の電源状態が遷移する手順を説明するフローチャート図の一例である（実施例１１）。
【図３７】ネットワーク機器の概略構成図の一例である（実施例１２）。
【図３８】ネットワーク機器の状態遷移に関する機能を示す機能ブロック図の一例である（実施例１２）。
【図３９】ネットワーク機器の状態遷移図の一例である（実施例１２）。
【図４０】スタンバイモード及び低電力モードの電源状態を説明する図の一例である（実施例１２）。
【図４１】ＷＯＬ対応オフモード及び自動遷移ＷＯＬ対応オフモードの電源状態を説明する図の一例である（実施例１２）。
【図４２】リンクパルス検知対応オフモードの電源状態を説明する図の一例である（実施例１２）。
【図４３】ネットワーク機器の電源状態が遷移する手順を説明するフローチャート図の一例である（実施例１２）。
【発明を実施するための形態】
【００１２】
以下、本発明を実施するための形態の一例として、ネットワーク機器及びネットワーク機器が行う動作モード制御方法について図面を参照しながら説明する。
【実施例１】
【００１３】
本実施例のネットワーク機器は、ネットワーク断によりオフモードに移行した場合、有線ネットワークを通じて送られてくるリンクパルスを検知してオフモードよりも上位の電源状態に復帰する。リンクパルスとは、通信先装置がデータを送信していない状態でも定期的に送信されるパルス信号である。主に、ＬＡＮケーブルがネットワーク機器と接続されているかどうかをテストするために使用される。したがって、有線ネットワークが接続されればリンクパルスを検知して省エネ状態に復帰できる。また、有線ネットワークが接続されれば、ユーザからの状態遷移制御がなくとも、自動で低電力モード等に復帰できる。したがって、ユーザの意図せぬ有線ネットワーク断が生じても有線ネットワークが接続されていれば、ユーザの印刷要求に対し印刷までの待ち時間を短縮することができる。
【００１４】
なお、以下、「有線ネットワーク断」と言った場合、無線ネットワークについてもすべてのポートが停止しているか、無線ネットワークデバイスをそもそも具備していないかであることとして、無線ネットワークについては逐一言及しない。
【００１５】
また、「オフモード」とは、商用電源との物理的な接続はある状態で装置全体の電源を落とした動作モード（シャットダウン状態）であることとする。つまり、シャットダウンしているが、商用電源との物理的な接続はあり、ネットワーク機器の電源プラグは商用電源のコンセントと繋がっている状態とする。
【００１６】
オフモードにおいては、有線ネットワーク機能の物理層への電力供給はないため、オフモードから有線ネットワーク接続を検知して動作モードを変更することは困難である。換言すると、オフモードから有線ネットワークの接続を検知してスタンバイモードＳＭに遷移させようとすると、物理層への電力供給が必要となり消費電力を低減することが困難であった。本実施例ではオフモードにおいて物理層への電力供給を行うことなく、消費電力を低減することを可能にする。
【００１７】
＜用語について＞
通信先装置とはネットワーク機器が有線ネットワークで通信する通信先の装置である。本実施形態のネットワーク機器と通信する装置であればよい。例えば、本実施形態のネットワーク機器の他、ハブ、Ｌ２スイッチ、Ｌ３スイッチ、ルータなどが含まれていてよい。
【００１８】
接続確認信号とは、通信先装置と有線ネットワークで接続されている場合に送信対象のデータがなくても送信される信号である。あるいは、ネットワーク機器が有線ネットワークに接続されていることを検知できる信号である。あるいは、通信先装置がネットワーク機器の存在を確認するための信号でもよい。本実施形態ではリンクパルスという用語で説明する。リンクパルスと同等の機能を持つ信号なら呼称は問われない。
【００１９】
起動要求信号とは、ネットワーク機器に対し起動を要求する信号をいう。より具体的には、起動要求信号を受信できる電源状態からネットワーク機器をユーザが使用できる電源状態に遷移させる信号である。本実施形態ではマジックパケットという用語で説明する。
【００２０】
＜構成例＞
図１は、ネットワーク機器１０の概略構成図の一例である。ネットワーク機器１０は、制御部１２、電源回路１１、リンクパルス検知回路１３、ネットワークＩ/Ｆ１５、及び、通信処理部１４を有する。図１では点線が電力供給線２７を示し、実線が制御信号線２８を示す。
【００２１】
なお、ネットワーク機器１０は、ネットワークに接続可能な機器であればよい。例えば、画像形成装置、複合機、ＭＦＰ（Multi-Functional Printer）、プリンタ、スキャナ、ファクシミリ、コピー機、複写機、情報処理装置、プロジェクタ、電子黒板、テレビ会議端末、デジタルサイネージ、デジタルカメラ、又は、カーナビゲーション装置などと呼ばれる装置であるが、これらには限られない。
【００２２】
ネットワークＩ/Ｆ１５は、ケーブルが挿入される物理的なソケットである。例えば、イーサネット（登録商標）に適合したＬＡＮケーブルを接続するための形状を有している。
【００２３】
通信処理部１４は、ネットワークの物理層に関する制御を行う。物理層とはＯＳＩ参照モデルの最下層のレイヤをいう。物理層は、ネットワーク上のデータ表現方式、インタフェースの形状など、ネットワークの接続やデータ伝送に関する物理的・物質的な方式を規定する。具体的には、コネクタのインタフェース形状や、ネットワークの材質、電気信号の変換に用いる電圧レベル、電圧レベルの変更タイミング、などが規定されている。
【００２４】
また、通信処理部１４は、ＯＳＩ参照モデルのデータリンク層の一部の機能を有する。すなわち、データをフレームに格納して送信したり受信したりする機能を有する。また、データの衝突を検出して再送するなどの機能を有する。なお、通信処理部１４は制御部１２に内蔵されていてもよい。また、通信処理部１４は、ＮＩＣ（Network Interface Card）やイーサネット（登録商標）カードと呼ばれる場合がある。
【００２５】
電源回路１１は制御部１２等が決定した動作モードに応じて電源状態を制御する。具体的には、動作モードに応じて制御部１２、電源回路１１、リンクパルス検知回路１３、ネットワークＩ/Ｆ１５、及び、通信処理部１４への電源の供給をＯＮ又はＯＦＦする。
【００２６】
制御部１２は通信処理部１４及びネットワークＩ/Ｆ１５を介してネットワークに接続し、他のネットワーク機器１０やＰＣ（Personal Computer）などの情報処理装置と通信する。一般的にネットワークＩ/Ｆ１５にはＬＡＮケーブルが接続される。制御部１２はネットワーク機器１０の全体を制御する情報処理装置であり、ＣＰＵ、ＲＡＭ、ＲＯＭ及びフラッシュメモリなどの一般的な構成を有する。
【００２７】
ネットワークＩ/Ｆ１５にＬＡＮケーブルが接続されている場合、ネットワークＩ/Ｆ１５の受信信号線２２にはネットワークから定期的にリンクパルス（電圧のLowからHighへの変化）が入力される。ＬＡＮケーブルが接続されていない場合、リンクパルスは入力されない。
【００２８】
リンクパルス検知回路１３は、このリンクパルスを検知する回路である。リンクパルス検知回路１３は通信処理部１４に電力供給されていない場合でもリンクパルスを検知し、電源回路１１を制御してネットワーク機器１０を所定の電源状態に遷移させる。これにより、ＬＡＮケーブルが接続されていない状態でオフモードに遷移しても、ネットワーク機器１０が省電力モードやスタンバイモード等に遷移できる。リンクパルス検知回路１３はマイコンなどの情報処理装置であり、ＣＰＵ、ＲＡＭ、ＲＯＭ及びフラッシュメモリなどの一般的な構成を有する。
【００２９】
図１に示すように、ネットワークＩ/Ｆ１５の受信信号線２２がリンクパルス検知回路１３に分岐しており、リンクパルス検知回路１３はリンクパルスが送信された場合、受信信号線２２の電圧変化（LowからHigh、HighからLow）を検知することで、ネットワークと接続されていることを検出、検知又は判断する。
【００３０】
＜状態遷移＞
続いて、図２，３を用いて、ネットワーク機器１０の状態遷移について説明する。まず、図２は、状態遷移図の比較例である。図２に示すようにネットワーク機器１０は複数の動作モード（電源状態）を有する。図２では一例として、スタンバイモードＳＭ、低電力モードＬＭ、及び、オフモードＯＭの各動作モードを有する。動作モードとは電力の消費状態が異なるネットワーク機器１０の電源状態をいう。電源状態が決まれば動作モードも決まる。なお、ネットワーク機器１０の動作モードは説明のためのもので図２に示した以外の動作モードを有している場合が多い。
【００３１】
スタンバイモードＳＭは、復帰時間なしですぐに動作可能な電源状態である。スタンバイモードＳＭからすべての機能をすぐに利用できる状態（通常稼働モード又はアクティブモード等とも呼ばれる）に遷移でき、ユーザは待ち時間をほとんど感じない。
【００３２】
省エネモードは、ネットワーク機器１０が主電源に接続され、次に挙げる一つ又は二つ以上の再起動機能に限って提供できる動作モードである。一つは、リモートスイッチ、内部センサ、タイマーでのスタンバイモードＳＭに遷移する機能である。二つ目は、時刻などの情報を保持したり状態表示を行ったりする機能である。
【００３３】
オフモードＯＭは、商用電源との物理的な接続はある状態で装置全体の電源を落とした動作モードである。ネットワーク機器１０にあるハードキーに対するユーザの操作に反応することはできる（タッチパネルのソフトキーに反応してもよい）。換言すれば、シャットダウンしているが、商用電源との物理的な接続はある状態がオフモードＯＭである。電源プラグは商用電源のコンセントにつながっている状態とする。
【００３４】
スタンバイモードＳＭから低電力モードＬＭへは、ユーザの無操作が所定時間以上になると遷移する（省エネ移行制御）。無操作の他、省エネボタンの押下で移行する場合もある。低電力モードＬＭからスタンバイモードＳＭへは、リモートスイッチ、内部センサによる使用開始の検知、タイマーのタイムアウトなどにより遷移する（省エネ復帰制御）。スタンバイモードＳＭからオフモードＯＭへは、主電源スイッチが押下されると遷移する。オフモードＯＭからスタンバイモードＳＭへは、主電源スイッチが押下されると遷移する。
【００３５】
低電力モードＬＭからオフモードＯＭへは、主電源スイッチが押下されるか、又は、有線ネットワーク接続断かつ全無線ポート無効かつ一定時間経過により遷移する。
【００３６】
図３は、本実施例の状態遷移図の一例を示す。図３では、自動遷移オフモードＡＯＭが追加されている。自動遷移オフモードＡＯＭは低電力モードＬＭにおいて、Erp指令Lot6で規定される自動遷移条件（全無線ポート無効かつ有線ネットワーク接続断かつ一定時間経過）を満たした場合に遷移する。自動遷移オフモードＡＯＭでは、オフモードＯＭと異なり、有線ネットワークの接続が検知された場合、低電力モードＬＭに遷移する。また、自動遷移オフモードＡＯＭで、主電源スイッチが押下されると、スタンバイモードに遷移する。
【００３７】
＜各動作モードで電源状態＞
図４は、スタンバイモードＳＭ、及び低電力モードＬＭの電源状態を説明する図の一例である。図４〜６では、斜線が付されたブロック（ハードウェアの構成要素）が非活電状態（電力供給無し）を意味し、斜線がないブロックが活電状態を意味する。
【００３８】
図４に示すように、スタンバイモードＳＭ、及び低電力モードＬＭでは、制御部１２、通信処理部１４及びリンクパルス検知回路１３に電源回路１１より電力が供給される。スタンバイモードＳＭと低電力モードＬＭでは電源状態に違いがないが、実際には低電力モードＬＭでは制御部１２内の一部の機能にのみ電力が供給されたり、動作クロックが低減されたりすることで、スタンバイモードＳＭよりも消費電力が低減された状態になる。
【００３９】
図５は、自動遷移オフモードＡＯＭの電源状態を説明する図の一例である。図５に示すように、自動遷移オフモードＡＯＭでは、制御部１２及び通信処理部１４が、電源回路１１より電力を供給されず非活電状態となる。なお、リンクパルス検知回路１３は電源回路１１から電力が供給される。
【００４０】
図６は、オフモードＯＭの電源状態を説明する図の一例である。図６に示すように、オフモードＯＭでは、制御部１２、通信処理部１４及びリンクパルス検知回路１３が、電源回路１１より電力を供給されず非活電状態となる。
【００４１】
図５，６を比較すると分かるように、オフモードＯＭではネットワークＩ/Ｆ１５にＬＡＮケーブルが接続されてもリンクパルス検知回路１３はリンクパルスを検知できない。これに対し、リンクパルス検知回路１３及び自動遷移オフモードＡＯＭが設けられたことで、ネットワークＩ/Ｆ１５にＬＡＮケーブルが接続された場合、リンクパルス検知回路１３がリンクパルスを検知して電源回路１１に低電力モードＬＭへ遷移するように制御できる。
【００４２】
＜機能について＞
図７は、本実施例のネットワーク機器１０の状態遷移に関する機能を示す機能ブロック図の一例である。
【００４３】
まず、制御部１２は、ＣＰＵがプログラムを実行すること等で実現される電源状態制御部１２ａを有する。電源状態制御部１２ａは、制御部１２が活電状態の場合に電源回路１１を制御することでネットワーク機器１０の動作モードを制御する。
【００４４】
リンクパルス検知回路１３は、ＣＰＵがプログラムを実行すること等で実現されるリンクパルス検知部１３ａを有している。リンクパルス検知部１３ａは、リンクパルス検知回路１３が活電状態の場合、リンクパルスを検知し、電源回路１１を制御して省エネ状態へ遷移させる。
【００４５】
また、電源回路１１は、割込部１１ａを有している。オフモードＯＭでは、制御部１２もリンクパルス検知回路１３も非活電状態なので、制御部１２とリンクパルス検知回路１３は活電状態に復帰できない。このため、電源回路１１の割込部１１ａは主電源スイッチの押下を検出して制御部１２を活電状態に遷移させる。制御部１２は一般的な起動処理によってネットワーク機器１０を起動させ、スタンバイモードＳＭに復帰させる。
【００４６】
＜動作手順＞
図８は、本実施例のネットワーク機器１０の電源状態が遷移する手順を説明するフローチャート図の一例である。図８の処理はネットワーク機器１０がスタンバイモードＳＭの状態からスタートする。
【００４７】
スタンバイモードＳＭにおいて主電源スイッチの押下がある場合（Ｓ１０のＹｅｓ）、電源状態制御部１２ａは電源状態をオフモードに遷移させる（Ｓ６０）。
【００４８】
スタンバイモードＳＭにおいて主電源スイッチの押下がない場合（Ｓ１０のＮｏ）、電源状態制御部１２ａは低電力モード遷移制御を受信したか否かを判定する（Ｓ２０）。低電力モード遷移制御とは、ネットワーク機器１０の無操作時間（ネットワーク経由の印刷要求などを含む）を測定するタイマーからタイムアウトを受信することをいう。
【００４９】
ステップＳ２０の判定がＮｏの場合、処理はステップＳ１０に戻る。
【００５０】
ステップＳ２０の判定がＹｅｓの場合、電源状態制御部１２ａは電源回路１１を制御して電源状態を低電力モードＬＭへ遷移させる（Ｓ３０）。すなわち、電源回路１１は制御部１２内の一部の機能へ電力を停止したり、動作クロックが低減したりする。
【００５１】
次に、電源状態制御部１２ａは自動遷移オフモードＡＯＭへの遷移条件が満たされているか否かを判定する（Ｓ４０）。自動遷移オフモードＡＯＭへの遷移条件は上記のように有線ネットワーク接続断かつ全無線ポート無効かつ一定時間経過である。
【００５２】
ステップＳ４０の判定がＮｏの場合、電源状態制御部１２ａは主電源スイッチが押下されたか否かを判定する（Ｓ５０）。ステップＳ５０の判定がＮｏの場合、処理はステップＳ４０に戻る。
【００５３】
ステップＳ５０の判定がＹｅｓの場合、電源状態制御部１２ａは電源状態をオフモードＯＭへ遷移させる（Ｓ６０）。すなわち、電源回路１１に対し、制御部１２、通信処理部１４及びリンクパルス検知回路１３を非活電状態に制御させる。
【００５４】
次に、電源回路１１の割込部１１ａは主電源スイッチが押下されたか否かを判定する（Ｓ７０）。制御部１２が非活電状態なので割込部１１ａは例えば主電源スイッチが押下されることでＬｏｗからＨｉｇｈに変化する電圧を検知するなどして、主電源スイッチが押下されたかどうかを判定する。主電源スイッチが押下されない場合（Ｓ７０のＮｏ）、割込部１１ａはオフモードのまま待機する。
【００５５】
主電源スイッチが押下された場合（Ｓ７０のＹｅｓ）、ネットワーク機器１０はスタンバイモードＳＭに遷移する（Ｓ８０）。例えば、割込部１１ａは制御部１２への電力の供給を開始する。これにより制御部１２が起動して活電状態になり、電源状態制御部１２ａが電源回路１１を制御して通信処理部１４とリンクパルス検知回路１３を活電状態にさせる。スタンバイモードＳＭに遷移したので、処理はステップＳ１０に戻る。
【００５６】
ステップＳ４０の判定がＹｅｓの場合、電源状態制御部１２ａは電源状態を自動遷移オフモードＡＯＭに遷移させる（Ｓ９０）。すなわち、電源回路１１を制御して、制御部１２と通信処理部１４を非活電状態に遷移させる。
【００５７】
この後、リンクパルス検知部１３ａは、リンクパルスを検知したか否かに基づいて有線ネットワークが接続されたか否かを判定する（Ｓ１００）。有線ネットワークとは例えばＬＡＮケーブルである。
【００５８】
ステップＳ１００の判定がＮｏの場合、電源回路１１の割込部１１ａは主電源スイッチが押下されたか否かを判定する（Ｓ１１０）。ステップＳ１１０の判定がＮｏの場合、自動遷移オフモードＡＯＭのままなので、処理はステップＳ１００に戻る。
【００５９】
ステップＳ１００の判定がＹｅｓの場合、リンクパルス検知回路１３のリンクパルス検知部１３ａは電源回路１１を制御して低電力モードに遷移させる（Ｓ３０）。すなわち、電源回路１１は制御部１２への電力の供給を開始する。これにより制御部１２が起動して活電状態になり、電源状態制御部１２ａが電源回路１１を制御して通信処理部１４を活電状態にさせる。
【００６０】
ステップＳ１１０の判定がＹｅｓの場合、ネットワーク機器１０はスタンバイモードＳＭに遷移する（Ｓ１２０）。例えば、割込部１１ａは制御部１２への電力の供給を開始する。これにより制御部１２が起動して活電状態になり、電源状態制御部１２ａが電源回路１１を制御して通信処理部１４を活電状態にさせる。スタンバイモードＳＭに遷移したので、処理はステップＳ１０に戻る。
【００６１】
このように、本実施例のネットワーク機器１０は、リンクパルス検知回路１３が活電状態となる自動遷移オフモードＡＯＭを有するため、有線ネットワークを通じて送られてくるリンクパルスを検知して低電力モードＬＭに遷移できる。したがって、意図せず有線ネットワークが切断されても、再度、有線ネットワークが接続されれば、低電力モードに復帰できる。低電力モードＬＭでは制御部１２に電力が供給されているので、ユーザの印刷要求に対し印刷までの待ち時間を短縮することができる。
【実施例２】
【００６２】
本実施例では、さらにバススイッチ１６を有するネットワーク機器１０の状態遷移について説明する。実施例１にて説明したようにネットワークＩ/Ｆ１５からリンクパルス検知回路１３へ受信信号線２２が分岐されると、反射波により信号の波形が乱れることが知られている。バススイッチ１６は、自動遷移オフモードＡＯＭ以外ではネットワークＩ/Ｆ１５とリンクパルス検知回路１３を切断するので、波形の劣化を抑制できる。
【００６３】
図９は、ネットワーク機器１０の概略構成図の一例である（実施例２）。本明細書において、同一の符号を付した構成要素については、同様の機能を果たすので、一度説明した構成要素の説明を省略あるいは相違点についてのみ説明する場合がある。以下の実施例でも同様である。
【００６４】
図９ではネットワークＩ/Ｆ１５とリンクパルス検知回路１３の間にバススイッチ１６が設置されている。バススイッチ１６は制御部１２により制御され、ネットワークＩ/Ｆ１５とリンクパルス検知回路１３との間の結線に関し、接続状態と切断状態を切り替える。制御部１２は、自動遷移オフモードＡＯＭに遷移するとバススイッチ１６を接続状態に制御し、それ以外の動作モードでは切断状態に制御する。
【００６５】
図１０は、本実施例のネットワーク機器１０の状態遷移に関する機能を示す機能ブロック図の一例である（実施例２）。図１０の制御部１２はバススイッチ制御部１２ｂを有する。バススイッチ制御部１２ｂは、バススイッチ１６を切断状態又は接続状態に制御する。
【００６６】
図１１は、本実施例のネットワーク機器１０の電源状態が遷移する手順を説明するフローチャート図の一例である。図１１の説明では図８との相違を主に説明する。
【００６７】
まず、スタンバイモードＳＭに遷移するステップＳ８０，Ｓ１２０の後、制御部１２のバススイッチ制御部１２ｂはバススイッチ１６を切断状態に制御する（Ｓ８２、Ｓ１２２）。
【００６８】
また、低電力モードＬＭに遷移するステップＳ３０の後、バススイッチ制御部１２ｂはバススイッチ１６を切断状態に制御する（Ｓ３２）。この後、自動遷移オフモードＡＯＭに遷移するまでバススイッチ１６は切断状態でよい。これにより、反射による信号の劣化を抑制できる。
【００６９】
また、自動遷移オフモードＡＯＭに遷移するステップＳ９０の手前で、制御部１２のバススイッチ制御部１２ｂはバススイッチ１６を接続状態に制御する（Ｓ８８）。これにより、自動遷移オフモードＡＯＭではリンクパルス検知回路１３がリンクパルスを検知できる。
【実施例３】
【００７０】
本実施例では、ユーザが自動遷移オフモードＡＯＭを有効にするか否かを設定可能なネットワーク機器１０について説明する。有線ネットワークの接続によりスタンバイモードＳＭに遷移させたくないユーザも存在するので、ユーザは有線ネットワークの接続によりスタンバイモードＳＭに遷移させるかどうかを選択できる。
【００７１】
図１２は、ネットワーク機器１０の概略構成図の一例である（実施例３）。図１２のネットワーク機器１０は設定保持装置１７を有する。設定保持装置１７は、マイコンなどの情報処理装置である。設定保持装置１７は制御信号線２８で制御部１２と電源回路１１と接続されている。また、電源回路１１と電力供給線２７で接続されている。
【００７２】
スタンバイモードＳＭなどでユーザが自動遷移オフモードＡＯＭへの遷移のＯＮ又はＯＦＦを設定すると、制御部１２は設定を設定保持装置１７に通知する。設定保持装置１７はメモリに設定情報を記憶する。設定保持装置１７は、メモリに記憶された設定情報に基づいて、リンクパルス検知回路１３への電力供給を有効とするか無効とするかを判断し電源回路１１を制御する。なお、設定保持装置１７は自動遷移オフモードＡＯＭでも活電状態である。設定保持装置１７の消費電力は制御部１２に比べ非常に小さいので制御部１２が設定情報を保持する場合よりも消費電力を低減できる。
【００７３】
図１３は、本実施例のネットワーク機器１０の状態遷移に関する機能を示す機能ブロック図の一例である（実施例３）。図１３ではネットワーク機器１０が設定保持装置１７を有し、設定保持装置１７が設定保持部１７ａを有する。設定保持部１７ａは、自動遷移オフモードＡＯＭへ遷移するか否かに関する設定情報を保持している。具体的には不揮発性又は揮発性のメモリに該設定情報を記憶している。
【００７４】
図１４は、本実施例のネットワーク機器１０の電源状態が遷移する手順を説明するフローチャート図の一例である。図１４の説明では図８との相違を主に説明する。
【００７５】
ステップＳ５０で自動遷移オフモードＡＯＭに遷移しようと制御部１２が制御するが、設定保持部１７ａは設定情報に応じて電源回路１１を常に制御している。あるいは、制御部１２が自動遷移オフモードＡＯＭに遷移する場合にそれを検知して、電源回路１１を制御する。すなわち、自動遷移オフモードＡＯＭに遷移する設定情報でない場合（Ｓ８６のＮｏ）、設定保持部１７ａは電源回路１１を制御して、リンクパルス検知回路１３への電力供給を停止させる（Ｓ８７）。これにより、電源回路１１はリンクパルス検知回路１３を非活電状態に制御するので、オフモードＯＭと同様の電源状態となる。この後、処理はステップＳ６０に進む。
【００７６】
自動遷移オフモードＡＯＭに遷移する設定情報である場合（Ｓ８６Ｙｅｓ）、設定保持部１７ａは電源回路１１を制御しないのでリンクパルス検知回路１３が活電状態であり、処理はステップＳ９０に進む。
【００７７】
このように、設定保持装置１７を有することで消費電力を低減して、ユーザが自動遷移オフモードＡＯＭに遷移するかを設定できる。
【実施例４】
【００７８】
本実施例では、リンクパルス検知回路１３がパルスのカウント機能を有するネットワーク機器１０について説明する。こうすることで、ノイズにより自動遷移オフモードＡＯＭから低電力モードＬＭに遷移することを抑制できる。
【００７９】
図１５は、本実施例のネットワーク機器１０の状態遷移に関する機能を示す機能ブロック図の一例である（実施例４）。図１５ではリンクパルス検知回路１３がパルスカウント部１３ｂを有する。パルスカウント部１３ｂは、リンクパルス検知部１３ａが検知する受信信号線２２の電圧変化（ＬｏｗからＨｉｇｈ、ＨｉｇｈからＬｏｗ、又はその両方）の回数をカウントする。そして、所定値以上の電圧の変化（パルスの数）をカウントすると、低電力モードＬＭに遷移するように電源回路１１を制御する。
【００８０】
図１６は、本実施例のネットワーク機器１０の電源状態が遷移する手順を説明するフローチャート図の一例である。図１６の説明では図８との相違を主に説明する。
【００８１】
ステップＳ１００で有線ネットワークの接続を検知すると（Ｓ１００のＹｅｓ）、パルスカウント部１３ｂはパルス数が所定値以上か否かを判定する（Ｓ１０２）。すなわち、単位時間内のパルス数を所定値と比較する。ステップＳ１０２の判定がＹｅｓの場合、電圧変化はノイズでなくリンクパルスと判定してよいので、パルスカウント部１３ｂは電源回路１１を制御して低電力モードＬＭに遷移させる。
【００８２】
ステップＳ１０２の判定がＮｏの場合、処理はステップＳ１００に戻る。したがって、電圧変化がノイズを原因とする場合、低電力モードＬＭに遷移させることを抑制できる。
【実施例５】
【００８３】
本実施例では、停電などの意図しない電源断が発生した場合であって、意図せぬ電源断から復旧した場合に、電源断の前に戻ることができるネットワーク機器１０について説明する。したがって、有線ネットワークが接続されていない状態で、停電の前に自動遷移オフモードＡＯＭであれば電源の復旧後に自動遷移オフモードＡＯＭに戻り、停電の前にオフモードＯＭであればオフモードＯＭに戻ることができる。
【００８４】
図１７は、本実施例のネットワーク機器１０の状態遷移に関する機能を示す機能ブロック図の一例である（実施例５）。図１７では制御部１２に不揮発性メモリ１８が接続されている。不揮発性メモリ１８は制御部１２が非活電状態でも記憶内容を保持する。
【００８５】
本実施例では異常終了を検知するフラグ１と、異常終了前の状態が自動遷移オフモードＡＯＭであったかを検知するフラグ２の２つのフラグが使用される。フラグ１は、起動時にＯＮ（１）にセットされ、オフモードへの移行処理内でＯＦＦ（０）にクリアされる。よって、オフモードへの移行処理以外のシーケンスで電源が切れた場合にはＯＮ（１）のままとなり、次回、起動時にネットワーク機器１０がフラグ１を確認することで異常終了を検知できる。
【００８６】
制御部１２の電源状態制御部１２ａは、自動遷移オフモードＡＯＭに遷移する場合、それが有線ネットワーク接続断かつ全無線ポート無効かつ一定時間経過により行われたものであると、不揮発性メモリ１８にフラグ２を保存する。また、それ以外の動作モードでは該フラグ２を削除する。
【００８７】
自動遷移オフモードＡＯＭで停電が発生すると不揮発性メモリ１８にはフラグ２が記憶されており、それ以外の動作モードで停電が発生すると不揮発性メモリ１８にはフラグ２が記憶されていない。したがって、電源状態制御部１２ａは、電源の復旧時、フラグ２が記憶されている場合は自動遷移オフモードＡＯＭに制御し、フラグ２が記憶されていない場合は自動遷移オフモードＡＯＭへ遷移させない（オフモードに遷移させる）。
【００８８】
このような制御によれば、ユーザが意図せず有線ネットワークを切断した状態で、停電が発生し電源が復旧した場合に、再度、自動遷移オフモードＡＯＭに遷移できる。一方、ユーザが主電源をＯＦＦにしていた場合は、電源の復旧により、再度、オフモードＯＭに遷移できる。
【００８９】
図１８Ａは、本実施例のネットワーク機器１０の電源状態が遷移する手順を説明するフローチャート図の一例である。
【００９０】
図１８Ａの説明では図８との相違を主に説明する。ステップＳ４０で自動遷移オフモードＡＯＭの遷移条件を満たしていると判定された場合、電源状態制御部１２ａはフラグ２を不揮発性メモリ１８に記憶させる（Ｓ８９）。
【００９１】
そして、電源状態制御部１２ａは自動遷移オフモードＡＯＭに遷移させる（Ｓ９０）。したがって、停電から復旧する前に自動遷移オフモードＡＯＭである場合は自動遷移オフモードＡＯＭに遷移できる。
【００９２】
また、ステップＳ６０でオフモードＯＭに遷移する前に、電源状態制御部１２ａは不揮発性メモリ１８のフラグ２を削除する（Ｓ５６）。これにより、オフモードＯＭで停電しその後、復旧した場合、フラグ２が記憶されていないのでオフモードＯＭに遷移できる。
【００９３】
図１８Ｂは異常終了か否かに応じて決定される動作モードを説明する図の一例である。まず、ネットワーク機器１０の電源がＯＮとなる（Ｓ１）。
【００９４】
次に、フラグ１を参照し、異常終了検知ありか否かを判定する（Ｓ２）。異常終了検知なしの場合、ネットワーク機器１０はスタンバイモードで起動する（Ｓ３）。
【００９５】
異常終了検知ありの場合、ネットワーク機器１０は自動遷移オフモードへ移行したことを示すフラグ２があるか否かを判定する（Ｓ４）。
【００９６】
フラグ２がない場合、ネットワーク機器１０はオフモードへ移行する（Ｓ５）。
【００９７】
フラグ２がある場合、ネットワーク機器１０は自動遷移オフモードへ移行する（Ｓ６）。
【００９８】
このように、有線ネットワークが接続されていない状態で、停電の前に自動遷移オフモードＡＯＭであれば電源の復旧後に自動遷移オフモードＡＯＭに戻り、停電の前にオフモードＯＭであればオフモードＯＭに戻ることができる。
【実施例６】
【００９９】
本実施例では、リンクパルス検知回路１３に送信信号線２１が接続されたネットワーク機器１０について説明する。クロスＬＡＮケーブルが接続された場合、Ｔｘ/Ｒｘの接続がストレートＬＡＮケーブルと逆になるが、その場合でも実施例１〜５の機能を有効にできる。
【０１００】
図１９は、ネットワーク機器１０の概略構成図の一例である（実施例６）。図１９のネットワーク機器１０は、受信信号線２２だけでなく送信信号線２１がリンクパルス検知回路１３に分岐されている。
【０１０１】
ストレートケーブルは両端の端子の１、２番のピンで通信先装置から受信し、３，６番のピンで通信先装置に送信する。本実施例を含む実施例１〜５では受信信号線２２が１，２番のピンに対応し、送信信号線２１が３，６番のピンに対応する。クロスケーブルは、３，６番のピンで通信先装置から受信し、１，２番のピンで通信先装置に送信する。このため、クロスケーブルがネットワークＩ/Ｆ１５に接続されると、送信信号線２１にリンクパルスが伝送される。
【０１０２】
本実施形態では、送信信号線２１もリンクパルス検知回路１３に分岐されているので、クロスケーブルがネットワークＩ/Ｆ１５に接続されてもリンクパルス検知回路１３がリンクパルスを検知できる。
【実施例７】
【０１０３】
通信処理部１４がWakeOnLAN（以下、ＷＯＬという）機能を有する場合がある。ＷＯＬ機能はマジックパケットと呼ばれる特定のパケット（レイヤ２であるイーサネット（登録商標）のブロードキャスト・フレーム）を検出した場合に、電源状態を変更する機能である。マジックパケットは通信処理部１４が検知するため通信処理部１４が活電状態でなければマジックパケットを検出できない。
【０１０４】
ＷＯＬは、通信先装置がネットワーク機器１０に特定のパケットを送信することにより、パケットで指定されたネットワーク機器１０に電源を投入させる仕組みである。マジックパケットは、FF:FF:FF:FF:FF:FFに続けて起動したい装置のＭＡＣアドレスが１６個、含まれているデータパターンである。ただし、本実施例ではマジックパケットに限られず、ＷＯＬのために送信されるパケットであればよい。
【０１０５】
実施例１〜６の自動遷移オフモードＡＯＭでは通信処理部１４が非活電状態なので、マジックパケットを検出できない。本実施例ではＷＯＬ機能に対応したオフモードとしてＷＯＬ対応オフモードＷＯＭという電源状態が設けられる。これにより、ＷＯＬ対応オフモードＷＯＭでマジックパケットを受信すると、通信処理部１４が電源回路１１を制御して制御部１２を活電状態に遷移できる。
【０１０６】
図２０は、ネットワーク機器１０の概略構成図の一例である（実施例７）。図２０のネットワーク機器１０の構成は実施例１と同様だが、通信処理部１４が電源回路１１と制御信号線２８で接続されている。通信処理部１４は、ＷＯＬ対応オフモードＷＯＭでマジックパケットを検出すると電源回路１１を制御して制御部１２を活電状態にする。
【０１０７】
図２１は、本実施例のネットワーク機器１０の状態遷移に関する機能を示す機能ブロック図の一例である（実施例７）。図２１では通信処理部１４が起動要求検知部１４ａを有する。起動要求検知部１４ａは、有線ネットワーク（ＬＡＮケーブル）を介して送信されるマジックパケットを検知し、電源回路１１を制御して制御部１２を起動させることでネットワーク機器１０をスタンバイモードＳＭに遷移させる。
【０１０８】
図２２は、本実施例のネットワーク機器１０の状態遷移図の一例である。スタンバイモードＳＭと低電力モードＬＭについては実施例１と同様である。一方、低電力モードＬＭで、有線ネットワーク接続断かつ全無線ポート無効かつ一定時間経過の条件が満たされるか、又は主電源スイッチが押下されると、ネットワーク機器１０の動作モードがＷＯＬ対応オフモードＷＯＭに遷移する。なお、ＷＯＬ対応オフモードＷＯＭには、スタンバイモードＳＭで主電源スイッチが押下されても遷移する。
【０１０９】
ＷＯＬ対応オフモードＷＯＭで、主電源スイッチが押下されるか又はマジックパケットを通信処理部１４が受信すると、スタンバイモードＳＭに遷移する。ＷＯＬ対応オフモードＷＯＭで、リンクパルスが検知されないと（有線ネットワークが接続されていないと）オフモードＯＭに遷移する。また、オフモードＯＭでは、主電源スイッチが押下されるとスタンバイモードＳＭに遷移する。すなわち、リンクパルスではスタンバイモードＳＭ等に遷移しないが、リンクパルスによりＷＯＬ対応オフモードを維持できる。
【０１１０】
有線ネットワークが接続されていない場合（リンクパルスが検知されない場合）、ネットワーク機器１０がネットワークからの信号でスタンバイモードＳＭ等に復帰することはありえない。そこで、オフモードＯＭでは、通信処理部１４やリンクパルス検知回路１３を非活電状態にすることで、オフモードＯＭ時の不要な電力を削減できる。
【０１１１】
図２３は、ＷＯＬ対応オフモードＷＯＭのネットワーク機器１０の電源状態を説明する図の一例である。ＷＯＬ対応オフモードＷＯＭでは、制御部１２が非活電状態であり、通信処理部１４、リンクパルス検知回路１３、及び、電源回路１１は活電状態である。一方、オフモードＯＭでは、電源回路１１を除いて非活電状態になる。
【０１１２】
図２４は、本実施例のネットワーク機器１０の電源状態が遷移する手順を説明するフローチャート図の一例である。図２４の処理はスタンバイモードＳＭ又は低電力モードＬＭで主電源スイッチが押下されるとスタートする。
【０１１３】
まず、電源状態制御部１２ａはＷＯＬ機能が有効か無効かを判定する（Ｓ１０）。ＷＯＬ機能を有効にするか無効にするかをユーザが設定できるネットワーク機器１０は少なくない。これは、ＷＯＬ機能でネットワーク機器１０が起動してしまうことを好まないユーザも多いためである。
【０１１４】
ＷＯＬ機能が無効の場合、電源状態制御部１２ａは電源状態をオフモードＯＭに遷移させる（Ｓ２０）。つまり、ＷＯＬ対応オフモードＷＯＭを経ることなくオフモードＯＭに遷移する。したがって、電源状態制御部１２ａは電源回路１１を除いて非活電状態に制御する。
【０１１５】
次に、オフモードＯＭでは電源回路１１の割込部１１ａが主電源スイッチが押下されたか否かを判定する（Ｓ３０）。主電源スイッチが押下されない場合、オフモードＯＭのまま待機する。
【０１１６】
主電源スイッチが押下された場合、割込部１１ａが制御部１２に割り込んで制御部１２が起動され、電源状態制御部１２ａは電源状態をスタンバイモードＳＭに遷移させる（Ｓ４０）。
【０１１７】
一方、ステップＳ１０でＷＯＬ機能が有効である場合、電源状態制御部１２ａは電源状態をＷＯＬ対応オフモードＷＯＭに遷移させる（Ｓ５０）。すなわち、電源回路１１を制御して制御部１２を非活電状態に遷移させる。
【０１１８】
そして、ＷＯＬ対応オフモードＷＯＭでリンクパルス検知部１３ａは有線ネットワークが接続されているか否かを判定する（Ｓ６０）。すなわち、リンクパルスを検知するか否かを判定する。
【０１１９】
ステップＳ６０の判定がＮｏの場合、処理はステップＳ２０に進む。つまり、有線ネットワークが接続されていないのでオフモードＯＭに遷移する。
【０１２０】
ステップＳ６０の判定がＹｅｓの場合、ＷＯＬ対応オフモードＷＯＭにおいて起動要求検知部１４ａがマジックパケットを受信したか否かを判定する（Ｓ７０）。
【０１２１】
ステップＳ７０の判定がＮｏの場合、リンクパルスが検知されているので電源状態はＷＯＬ対応オフモードＷＯＭのままである。
【０１２２】
ステップＳ７０の判定がＹｅｓの場合、マジックパケットの検知を契機に、起動要求検知部１４ａは電源状態をスタンバイモードＳＭに遷移させる（Ｓ８０）。すなわち、電源回路１１を制御して制御部１２を活電状態に遷移させる。
【０１２３】
このように、ＷＯＬが有効であるが有線ネットワークが接続されていない場合、ネットワーク経由の信号で復帰することはありえないため、マジックパケットを検知する通信処理部１４を非活電状態にすることで、オフモードＯＭ時の消費電力を低減できる。
【０１２４】
なお、図２４はスタンバイモードＳＭ又は低電力モードＬＭで主電源スイッチが押下された場合の処理を示すが、図２５に示すように、有線ネットワーク接続断かつ全無線ポート無効かつ一定時間経過の条件が満たされた場合も同様に電源状態が遷移する。なお、図２５の制御はＥｒｐ指令Ｌｏｔ６の仕様に従ったものとなっている。
【実施例８】
【０１２５】
実施例７では一度オフモードＯＭに遷移すると、主電源スイッチの押下以外ではスタンバイモードＳＭに復帰できない。本実施例では、通信処理部１４を活電状態にした低電力状態であるリンクパルス検知対応オフモードＬＯＭを設けることで、有線ネットワークが接続されなくなった後に有線ネットワークの接続を検知した場合、ＷＯＬ対応オフモードＷＯＭに遷移できるネットワーク機器１０について説明する。
【０１２６】
これにより、一度、有線ネットワークが切断されても、再度、有線ネットワークが接続された場合に、マジックパケットの受信及び状態遷移が可能になる。
【０１２７】
ハードウェア構成と機能ブロックについては実施例７と同様でよい。
【０１２８】
図２６は、本実施例のネットワーク機器１０の状態遷移図の一例を示す。なお、図２６では主に図２２との相違を説明する。図２６では、図２２のオフモードＯＭがリンクパルス検知対応オフモードＬＯＭに置き換わっている。ＷＯＬ対応オフモードＷＯＭからリンクパルス検知対応オフモードＬＯＭへの遷移条件は有線ネットワークの切断である。また、ネットワーク機器１０は、リンクパルス検知対応オフモードＬＯＭからＷＯＬ対応オフモードＷＯＭへ遷移することができる。遷移条件は有線ネットワークの接続である。
【０１２９】
図２７は、リンクパルス検知対応オフモードＬＯＭのネットワーク機器１０の電源状態を説明する図の一例である。リンクパルス検知対応オフモードＬＯＭでは、制御部１２と通信処理部１４が非活電状態であり、リンクパルス検知回路１３、及び、電源回路１１は活電状態である。したがって、ＷＯＬ対応オフモードＷＯＭに対し、通信処理部１４が非活電状態になっており、さらに消費電力が低減されている。
【０１３０】
図２８は、本実施例のネットワーク機器１０の電源状態が遷移する手順を説明するフローチャート図の一例である。図２８の処理はスタンバイモードＳＭ又は低電力モードＬＭで主電源スイッチが押下されるとスタートする。
【０１３１】
まず、電源状態制御部１２ａは電源状態をＷＯＬ対応オフモードＷＯＭに遷移させる（Ｓ１０）。すなわち、電源回路１１を制御して制御部１２を非活電状態に遷移させる。
【０１３２】
そして、ＷＯＬ対応オフモードＷＯＭでリンクパルス検知部１３ａは有線ネットワークが接続されているか否かを判定する（Ｓ２０）。すなわち、リンクパルスを検知するか否かを判定する。
【０１３３】
ステップＳ２０の判定がＮｏの場合、処理はステップＳ３０に進む。つまり、有線ネットワークが接続されていないのでリンクパルス検知部１３ａは電源状態をリンクパルス検知対応オフモードＬＯＭに遷移させる（Ｓ３０）。すなわち、電源回路１１を制御して通信処理部１４を非活電状態にする。
【０１３４】
次に、リンクパルス検知対応オフモードＬＯＭのまま、リンクパルス検知部１３ａは有線ネットワークが接続されているか否かを判定する（Ｓ４０）。すなわち、リンクパルスを検知するか否かを判定する。
【０１３５】
ステップＳ４０の判定がＮｏの場合、電源回路１１の割込部１１ａは主電源スイッチが押下されたか否かを判定する（Ｓ５０）。ステップＳ５０の判定がＮｏの場合、処理はステップＳ４０に戻る。
【０１３６】
ステップＳ４０の判定がＹｅｓの場合、リンクパルス検知部１３ａは電源状態をＷＯＬ対応オフモードＷＯＭに遷移させる（Ｓ６０）。すなわち、電源回路１１を制御して通信処理部１４を活電状態にする。
【０１３７】
また、ステップＳ２０の判定がＹｅｓの場合、及び、ステップＳ６０に続き、通信処理部１４の起動要求検知部１４ａはマジックパケットを受信したか否かを判定する（Ｓ７０）。
【０１３８】
ステップＳ７０の判定がＮｏの場合、電源回路１１の割込部１１ａは主電源スイッチが押下されたか否かを判定する（Ｓ８０）。ステップＳ８０の判定がＮｏの場合、処理はステップＳ７０に戻る。
【０１３９】
ステップＳ７０の判定がＹｅｓの場合、及び、ステップＳ５０、Ｓ８０の判定がＹｅｓの場合、ネットワーク機器１０はスタンバイモードＳＭに遷移する（Ｓ９０）。すなわち、ステップＳ７０の判定がＹｅｓの場合、通信処理部１４の起動要求検知部１４ａはマジックパケットを受信したので、電源回路１１を制御して制御部１２を活電状態にする。ステップＳ５０の判定がＹｅｓの場合、電源回路１１の割込部１１ａは制御部１２を活電状態にして、制御部１２の電源状態制御部１２ａは電源回路１１を制御して通信処理部１４を活電状態にする。ステップＳ８０の判定がＹｅｓの場合、電源回路１１の割込部１１ａは制御部１２を活電状態にする。
【０１４０】
以上のような処理により、一度、有線ネットワークが切断されても、再度、有線ネットワークが接続された場合に、マジックパケットの受信及び状態遷移が可能になる。
【０１４１】
なお、図２８はスタンバイモードＳＭ又は低電力モードＬＭで主電源スイッチが押下された場合の処理を示すが、図２９に示すように、有線ネットワーク接続断かつ全無線ポート無効かつ一定時間経過の条件が満たされた場合も同様に電源状態が遷移する。なお、図２９の制御はＥｒｐ指令Ｌｏｔ６の仕様に従ったものとなっている。
【実施例９】
【０１４２】
本実施例では実施例７において、全無線ポート無効かつ有線ネットワーク接続断かつ一定時間継続した場合、実施例７よりも消費電力を低減可能な自動遷移オフモードＡＯＭへ遷移するネットワーク機器１０について説明する。
【０１４３】
なお、ハードウェア構成と機能ブロックについては実施例７と同様でよい。
【０１４４】
図３０は、本実施例のネットワーク機器１０の状態遷移図の一例を示す。なお、図３０では主に図２２との相違を説明する。図３０では、電源状態が新たに自動遷移オフモードＡＯＭを有している。低電力モードＬＭから自動遷移オフモードＡＯＭへの遷移条件は、全無線ポート無効かつ有線ネットワーク接続断かつ一定時間継続したことである。自動遷移オフモードＡＯＭから低電力モードＬＭへの遷移条件は有線ネットワークが接続されたことである。また、自動遷移オフモードＡＯＭからスタンバイモードＳＭへの遷移条件は主電源スイッチが押下されたことである。
【０１４５】
図３１は、自動遷移オフモードＡＯＭのネットワーク機器１０の電源状態を説明する図の一例である。自動遷移オフモードＡＯＭでは、制御部１２と通信処理部１４が非活電状態であり、リンクパルス検知回路１３、及び、電源回路１１は活電状態である。したがって、ＷＯＬ対応オフモードＷＯＭに対し、通信処理部１４が非活電状態になっており、消費電力が低減されている。
【０１４６】
図３２は、本実施例のネットワーク機器１０の電源状態が遷移する手順を説明するフローチャート図の一例である。図３２の処理はスタンバイモードＳＭ又は低電力モードＬＭで主電源スイッチが押下されるとスタートする。
【０１４７】
まず、電源状態制御部１２ａは電源状態をＷＯＬ対応オフモードＷＯＭに遷移させる（Ｓ１０）。すなわち、電源回路１１を制御して制御部１２を非活電状態に遷移させる。
【０１４８】
そして、ＷＯＬ対応オフモードＷＯＭでリンクパルス検知部１３ａは有線ネットワークが接続されているか否かを判定する（Ｓ２０）。すなわち、リンクパルスを検知するか否かを判定する。
【０１４９】
ステップＳ２０の判定がＮｏの場合、有線ネットワークが接続されていないのでリンクパルス検知部１３ａは電源状態をオフモードＯＭに遷移させる（Ｓ３０）。すなわち、電源回路１１を制御して通信処理部１４及びリンクパルス検知回路１３を非活電状態にする。
【０１５０】
次に、電源回路１１の割込部１１ａは主電源スイッチが押下されたか否かを判定する（Ｓ４０）。ステップＳ４０の判定がＮｏの場合、オフモードＯＭのまま処理はステップＳ４０に戻る。
【０１５１】
ステップＳ２０の判定がＹｅｓの場合、通信処理部１４の起動要求検知部１４ａはマジックパケットを受信したか否かを判定する（Ｓ５０）。
【０１５２】
ステップＳ５０の判定がＮｏの場合、電源回路１１の割込部１１ａは主電源スイッチが押下されたか否かを判定する（Ｓ６０）。ステップＳ６０の判定がＮｏの場合、処理はステップＳ５０に戻る。
【０１５３】
ステップＳ５０の判定がＹｅｓの場合、及び、ステップＳ４０、Ｓ６０の判定がＹｅｓの場合、ネットワーク機器１０はスタンバイモードＳＭに遷移する（Ｓ７０）。すなわち、ステップＳ５０の判定がＹｅｓの場合、通信処理部１４の起動要求検知部１４ａはマジックパケットを受信したので、電源回路１１を制御して制御部１２を活電状態にする。ステップＳ４０の判定がＹｅｓの場合、電源回路１１の割込部１１ａは制御部１２を活電状態にして、制御部１２の電源状態制御部１２ａは電源回路１１を制御して通信処理部１４を活電状態にする。ステップＳ６０の判定がＹｅｓの場合、電源回路１１の割込部１１ａは制御部１２を活電状態にする。
【０１５４】
したがって、実施例７に比べ、全無線ポート無効かつ有線ネットワーク接続断かつ一定時間続いた場合、自動的に自動遷移オフモードＡＯＭに遷移し、消費する電力を小さくできる。
【実施例１０】
【０１５５】
本実施例では、実施例９のオフモードＯＭがリンクパルス検知対応オフモードＬＯＭに置き換わった電源状態を有するネットワーク機器１０について説明する。ＷＯＬ対応オフモードＷＯＭで有線ネットワークの切断によりリンクパルス検知対応オフモードＬＯＭに遷移するので、再度、有線ネットワークが接続された場合、ＷＯＬ対応オフモードＷＯＭに遷移できる。したがって、一度、有線ネットワークが切断されても、有線ネットワークが接続された場合に、マジックパケットの受信及び状態遷移が可能になる。
【０１５６】
なお、ハードウェア構成と機能ブロックについては実施例７と同様でよい。
【０１５７】
図３３は、本実施例のネットワーク機器１０の状態遷移図の一例を示す。なお、図３３では主に図３０との相違を説明する。図３３では、図３０のオフモードＯＭがリンクパルス検知対応オフモードＬＯＭに置き換わっている。ＷＯＬ対応オフモードＷＯＭからリンクパルス検知対応オフモードＬＯＭへの遷移条件、及び、リンクパルス検知対応オフモードＬＯＭからスタンバイモードＳＭへの遷移条件は、図２６と同じである。
【０１５８】
図３４は、本実施例のネットワーク機器１０の電源状態が遷移する手順を説明するフローチャート図の一例である。図３４の処理はスタンバイモードＳＭ又は低電力モードＬＭで主電源スイッチが押下されるとスタートする。
【０１５９】
まず、電源状態制御部１２ａは電源状態をＷＯＬ対応オフモードＷＯＭに遷移させる（Ｓ１０）。すなわち、電源回路１１を制御して制御部１２を非活電状態に遷移させる。
【０１６０】
そして、ＷＯＬ対応オフモードＷＯＭでリンクパルス検知部１３ａは有線ネットワークが接続されているか否かを判定する（Ｓ２０）。すなわち、リンクパルスを検知するか否かを判定する。
【０１６１】
ステップＳ２０の判定がＮｏの場合、有線ネットワークが接続されていないのでリンクパルス検知部１３ａは電源状態をリンクパルス検知対応オフモードＬＯＭに遷移させる（Ｓ３０）。すなわち、電源回路１１を制御して通信処理部１４及び制御部１２を非活電状態にする。
【０１６２】
次に、電源回路１１の割込部１１ａは主電源スイッチが押下されたか否かを判定する（Ｓ４０）。ステップＳ４０の判定がＮｏの場合、リンクパルス検知部１３ａは有線ネットワークが接続されているか否かを判定する（Ｓ５０）。リンクパルス検知対応オフモードＬＯＭではリンクパルス検知部１３ａがリンクパルスを検知できるためである。
【０１６３】
ステップＳ５０の判定がＮｏの場合、リンクパルス検知対応オフモードＬＯＭのまま処理はステップＳ４０に戻る。
【０１６４】
ステップＳ５０の判定がＹｅｓの場合、リンクパルス検知部１３ａは電源状態をＷＯＬ対応オフモードＷＯＭに遷移させる（Ｓ１０）。すなわち、電源回路１１を制御して通信処理部１４を活電状態にする。制御部１２は非活電状態のままである。
【０１６５】
ステップＳ２０の判定がＹｅｓの場合、通信処理部１４の起動要求検知部１４ａはマジックパケットを受信したか否かを判定する（Ｓ６０）。
【０１６６】
ステップＳ６０の判定がＮｏの場合、電源回路１１の割込部１１ａは主電源スイッチが押下されたか否かを判定する（Ｓ７０）。
【０１６７】
ステップＳ７０の判定がＮｏの場合、リンクパルス検知部１３ａは有線ネットワークが接続されているか否かを判定する（Ｓ８０）。リンクパルス検知対応オフモードＬＯＭに遷移するかどうかを判定するためである。ステップＳ８０の判定がＹｅｓの場合、処理はステップＳ６０に戻る。
【０１６８】
ステップＳ８０の判定がＮｏの場合、リンクパルス検知部１３ａは電源状態をリンクパルス検知対応オフモードＬＯＭに遷移させる（Ｓ３０）。すなわち、電源回路１１を制御して通信処理部１４を非活電状態にする。
【０１６９】
ステップＳ４０、Ｓ７０の判定がＹｅｓの場合、ステップＳ６０の判定がＹｅｓの場合、ネットワーク機器１０はスタンバイモードＳＭに遷移する（Ｓ９０）。すなわち、ステップＳ６０の判定がＹｅｓの場合、通信処理部１４の起動要求検知部１４ａはマジックパケットを受信したので、電源回路１１を制御して制御部１２を活電状態にする。ステップＳ４０の判定がＹｅｓの場合、電源回路１１の割込部１１ａは制御部１２を活電状態にして、制御部１２の電源状態制御部１２ａは電源回路１１を制御して通信処理部１４を活電状態にする。ステップＳ７０の判定がＹｅｓの場合、電源回路１１の割込部１１ａは制御部１２を活電状態にする。
【０１７０】
以上のように、本実施例のネットワーク機器１０は、一度、有線ネットワークが切断されても、リンクパルスを検知することで、再度、有線ネットワークが接続された場合に、マジックパケットの受信及び状態遷移が可能になる。
【実施例１１】
【０１７１】
本実施例では、実施例１０で自動遷移オフモードＡＯＭからＷＯＬ対応オフモードＷＯＭに電源状態が遷移可能なネットワーク機器１０について説明する。自動遷移オフモードＡＯＭへ遷移後、有線ネットワークが接続されると、低電力モードＬＭを経ることなくＷＯＬ対応オフモードＷＯＭに遷移できるので、実施例１０よりも低電力にＷＯＬ機能を有効にできる。
【０１７２】
なお、ハードウェア構成と機能ブロックについては実施例７と同様でよい。
【０１７３】
図３５は、本実施例のネットワーク機器１０の状態遷移図の一例を示す。なお、図３５では主に図３３との相違を説明する。図３５では、自動遷移オフモードＡＯＭからＷＯＬ対応オフモードＷＯＭに遷移可能になっている。自動遷移オフモードＡＯＭからＷＯＬ対応オフモードＷＯＭへの遷移条件は有線ネットワークが接続されることである。また、自動遷移オフモードＡＯＭから低電力モードＬＭへは遷移しない。
【０１７４】
図３６は、本実施例のネットワーク機器１０の電源状態が遷移する手順を説明するフローチャート図の一例である。図３６の処理は低電力モードＬＭで、有線ネットワーク接続断かつ全無線ポート無効かつ一定時間経過の条件が満たされた場合にスタートする。
【０１７５】
まず、電源状態制御部１２ａは電源状態を自動遷移オフモードＡＯＭに遷移させる（Ｓ１０）。すなわち、電源回路１１を制御して制御部１２と通信処理部１４を非活電状態に遷移させる。
【０１７６】
そして、自動遷移オフモードＡＯＭでリンクパルス検知部１３ａは有線ネットワークが接続されているか否かを判定する（Ｓ２０）。すなわち、リンクパルスを検知するか否かを判定する。
【０１７７】
ステップＳ２０の判定がＹｅｓの場合、有線ネットワークが接続されているのでリンクパルス検知部１３ａは電源状態をＷＯＬ対応オフモードＷＯＭに遷移させる（Ｓ３０）。すなわち、電源回路１１を制御して通信処理部１４を活電状態にする。
【０１７８】
ステップＳ２０の判定がＮｏの場合、有線ネットワークが接続されていないので、電源回路１１の割込部１１ａは主電源スイッチが押下されたか否かを判定する（Ｓ４０）。ステップＳ４０の判定がＮｏの場合、自動遷移オフモードＡＯＭのままである。
【０１７９】
ステップＳ４０の判定がＹｅｓの場合、電源回路１１はネットワーク機器１０の電源状態をスタンバイモードＳＭに遷移させる（Ｓ５０）。すなわち、電源回路１１の割込部１１ａは制御部１２を活電状態にして、制御部１２の電源状態制御部１２ａは電源回路１１を制御して通信処理部１４を活電状態にする。
【０１８０】
なお、スタンバイモードＳＭ又は低電力モードＬＭで主電源スイッチが押下された場合の遷移は実施例１０と同様になる。
【０１８１】
以上のように、本実施例のネットワーク機器１０は、自動遷移オフモードＡＯＭへ遷移後、有線ネットワークが接続されると、低電力モードＬＭを経ることなくＷＯＬ対応オフモードＷＯＭに遷移できるので、実施例１０よりも低電力にＷＯＬ機能を有効にできる。
【実施例１２】
【０１８２】
本実施例では、低電力モードＬＭで有線ネットワークが切断された場合に、ＷＯＬでスタンバイモードに遷移できるネットワーク機器１０について説明する。
【０１８３】
図３７は、ネットワーク機器１０の概略構成図の一例である（実施例１２）。図３７では、ネットワーク機器１０がモード制御装置１９を有している。モード制御装置１９は情報処理装置の機能を有し、電源回路１１、制御部１２、通信処理部１４、リンクパルス検知回路１３と制御信号線２８で接続されている。本実施例では、モード制御装置１９が電源回路１１を制御して電源状態を遷移させる。例えば、リンクパルス検知回路１３からリンクパルスを検知した旨の通知を取得して、電源回路１１を制御することでＷＯＬ対応オフモードＷＯＭに遷移させる。また、通信処理部１４からマジックパケットを受信した旨の通知を取得して、電源回路１１を制御することでスタンバイモードＳＭに遷移させる。
【０１８４】
通信処理部１４が活電状態でマジックパケットを検出する場合、電源回路１１は通信処理部１４とリンクパルス検知回路１３の両方とのインタフェースが必要になる。これに対し、モード制御装置１９があることで、電源回路１１はモード制御装置１９とのインタフェースを有すればよい。
【０１８５】
また、モード制御装置１９は制御部１２よりも消費電力が少ないため、制御部１２が活電状態となるよりも消費電力を低減できる。
【０１８６】
図３８は、本実施例のネットワーク機器１０の状態遷移に関する機能を示す機能ブロック図の一例である。図３８に示すように、モード制御装置１９は第２電源状態制御部１９ａを有する。第２電源状態制御部１９ａは、制御部１２が非活電状態の場合に電源状態を制御する。例えば、リンクパルス検知部１３ａがリンクパルスを検知した場合、又は、通信処理部１４の起動要求検知部１４ａがマジックパケットを検知した場合、定められた状態遷移にしたがって電源回路１１を制御して電源状態を遷移させる。
【０１８７】
図３９は、本実施例のネットワーク機器１０の状態遷移図の一例を示す。なお、図３９では主に図３３との相違を説明する。図３９では、自動遷移オフモードＡＯＭが自動遷移ＷＯＬ対応オフモードＡＷＯＭに置き代わっている。自動遷移ＷＯＬ対応オフモードＡＷＯＭは通信処理部１４が活電状態なので、自動遷移ＷＯＬ対応オフモードＡＷＯＭから直接、スタンバイモードＳＭに遷移することができる。
【０１８８】
低電力モードＬＭから自動遷移ＷＯＬ対応オフモードＡＷＯＭへの遷移条件は、有線ネットワーク接続断かつ全無線ポート無効かつ一定時間経過である。また、自動遷移ＷＯＬ対応オフモードＡＷＯＭから低電力モードＬＭへの遷移条件は、有線ネットワークの接続である。自動遷移ＷＯＬ対応オフモードＡＷＯＭからスタンバイモードＳＭへの遷移条件は、主電源スイッチの押下又はマジックパケットの受信である。
【０１８９】
図４０は、スタンバイモードＳＭ及び低電力モードＬＭの電源状態を説明する図の一例である。図４０に示すように、スタンバイモードＳＭ及び低電力モードＬＭでは、制御部１２、通信処理部１４、リンクパルス検知回路１３、及びモード制御装置１９が活電状態となる。
【０１９０】
図４１は、ＷＯＬ対応オフモードＷＯＭ及び自動遷移ＷＯＬ対応オフモードＡＷＯＭの電源状態を説明する図の一例である。図４１に示すように、ＷＯＬ対応オフモードＷＯＭ及び自動遷移ＷＯＬ対応オフモードＡＷＯＭでは、通信処理部１４、リンクパルス検知回路１３、及びモード制御装置１９が活電状態であり、制御部１２が非活電状態となる。
【０１９１】
図４２は、リンクパルス検知対応オフモードＬＯＭの電源状態を説明する図の一例である。図４２に示すように、リンクパルス検知対応オフモードＬＯＭでは、リンクパルス検知回路１３とモード制御装置１９が活電状態であり、制御部１２と通信処理部１４が非活電状態となる。
【０１９２】
図４３は、本実施例のネットワーク機器１０の電源状態が遷移する手順を説明するフローチャート図の一例である。図４３の処理は低電力モードＬＭで、有線ネットワーク接続断かつ全無線ポート無効かつ一定時間経過の条件が満たされた場合にスタートする。
【０１９３】
まず、電源状態制御部１２ａは電源状態を自動遷移ＷＯＬ対応オフモードＡＷＯＭに遷移させる（Ｓ１０）。すなわち、電源回路１１を制御して制御部１２を非活電状態に遷移させる。
【０１９４】
そして、自動遷移ＷＯＬ対応オフモードＡＷＯＭでリンクパルス検知部１３ａは有線ネットワークが接続されているか否かを判定する（Ｓ２０）。すなわち、リンクパルスを検知するか否かを判定する。
【０１９５】
ステップＳ２０の判定がＹｅｓの場合、有線ネットワークが接続されているのでリンクパルス検知部１３ａから通知を受けた第２電源状態制御部１９ａは電源状態を低電力モードＬＭに遷移させる（Ｓ３０）。すなわち、モード制御装置１９の第２電源状態制御部１９ａは電源回路１１を制御して制御部１２を活電状態にする。
【０１９６】
ステップＳ２０の判定がＮｏの場合、有線ネットワークが接続されていないので、電源回路１１の割込部１１ａは主電源スイッチが押下されたか否かを判定する（Ｓ４０）。
【０１９７】
ステップＳ４０の判定がＮｏの場合、モード制御装置１９の第２電源状態制御部１９ａはマジックパケットを受信したか否かを判定する（Ｓ５０）。すなわち、通信処理部１４からマジックパケットを受信した旨の通知を受けたか否かを判定する。ステップＳ５０の判定がＹｅｓの場合、処理はステップＳ６０に進む。
【０１９８】
ステップＳ４０の判定がＹｅｓの場合、又は、ステップＳ５０の判定がＹｅｓの場合、モード制御装置１９の第２電源状態制御部１９ａはネットワーク機器１０の電源状態をスタンバイモードＳＭに遷移させる（Ｓ６０）。すなわち、モード制御装置１９の第２電源状態制御部１９ａは電源回路１１を制御して制御部１２を活電状態にする。したがって、低電力モードＬＭで有線ネットワークが切断され、その後、有線ネットワークが接続された場合、マジックパケットの受信でスタンバイモードＳＭに遷移できる。これにより、スタンバイモードＳＭに早期に復帰できる。
【０１９９】
なお、スタンバイモードＳＭ又は低電力モードＬＭで主電源スイッチが押下された場合の遷移は実施例１０と同様になる。
【０２００】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０２０１】
例えば、本実施例では、有線ネットワークの切断と接続で電源状態が制御されることを説明したが、無線ネットワークの切断と接続に適用してもよい。この場合、例えば無線ＬＡＮのアクセスポイントとネットワーク機器１０が無線ＬＡＮで接続できるかどうかにより電源状態が遷移される。また、ＷＯＬが無線ＬＡＮで受信されてもよい。
【０２０２】
なお、低電力モード又はスタンバイモードは第１の電源状態の一例であり、自動遷移オフモードは第２の電源状態の一例であり、オフモードは第３の電源状態の一例であり、ＷＯＬ対応オフモードは第４の電源状態の一例であり、リンクパルス検知対応オフモードは第５の電源状態の一例であり、自動遷移ＷＯＬ対応オフモードは第６の電源状態の一例である。モード制御装置１９は第２の制御部の一例であり、リンクパルス検知回路１３は確認信号受信手段の一例であり、設定保持部１７ａは設定情報保持部の一例である。
【符号の説明】
【０２０３】
１０      ネットワーク機器
１１      電源回路
１２      制御部
１３      リンクパルス検知回路
１４      通信処理部
１５      ネットワークＩ/Ｆ
１６      バススイッチ
１７      設定保持装置
１８      不揮発性メモリ
１９      モード制御装置
【先行技術文献】
【特許文献】
【０２０４】
【特許文献１】特開２０１４−１６４６２５号公報
【図１】
2017091505.tif 000003
【図２】
2017091505.tif 000004
【図３】
2017091505.tif 000005
【図４】
2017091505.tif 000006
【図５】
2017091505.tif 000007
【図６】
2017091505.tif 000008
【図７】
2017091505.tif 000009
【図８】
2017091505.tif 000010
【図９】
2017091505.tif 000011
【図１０】
2017091505.tif 000012
【図１１】
2017091505.tif 000013
【図１２】
2017091505.tif 000014
【図１３】
2017091505.tif 000015
【図１４】
2017091505.tif 000016
【図１５】
2017091505.tif 000017
【図１６】
2017091505.tif 000018
【図１７】
2017091505.tif 000019
【図１８Ａ】
2017091505.tif 000020
【図１８Ｂ】
2017091505.tif 000021
【図１９】
2017091505.tif 000022
【図２０】
2017091505.tif 000023
【図２１】
2017091505.tif 000024
【図２２】
2017091505.tif 000025
【図２３】
2017091505.tif 000026
【図２４】
2017091505.tif 000027
【図２５】
2017091505.tif 000028
【図２６】
2017091505.tif 000029
【図２７】
2017091505.tif 000030
【図２８】
2017091505.tif 000031
【図２９】
2017091505.tif 000032
【図３０】
2017091505.tif 000033
【図３１】
2017091505.tif 000034
【図３２】
2017091505.tif 000035
【図３３】
2017091505.tif 000036
【図３４】
2017091505.tif 000037
【図３５】
2017091505.tif 000038
【図３６】
2017091505.tif 000039
【図３７】
2017091505.tif 000040
【図３８】
2017091505.tif 000041
【図３９】
2017091505.tif 000042
【図４０】
2017091505.tif 000043
【図４１】
2017091505.tif 000044
【図４２】
2017091505.tif 000045
【図４３】
2017091505.tif 000046